(57)【要約】【課題】  従来の文献では、充填粒子の中層部における気相の液相に対する比をより高め、酸素供給能力を高めることがで、有機物含量と微生物生息数が多くなり、作物の生育が良く、かつ根病の発生を少なくする。従って、団粒構造を備える他の土壌よりも毛管現象の再現性及び水の均一拡散性が高く、水分調節が容易であり、かつ低コストで高品質な作物できる。【解決手段】  本発明は、土壌に、食用珪素を含む水溶性超濃縮溶液を含有する水を散布する改良土の製法で、土壌に、水溶性超濃縮溶液を、１０００倍希釈〜１００００倍希釈にして、散布し、土壌を耕し、１０００倍希釈〜１００００倍希釈の溶液を土壌に馴染ませて養生する。改良土は、ケイ酸を含む本来の土壌とする。団粒構造の本来の特性と、土壌の有用微生物の活性化、活性増殖化を図り、有用微生物の多様性を達成できる。【選択図】      図３
2018019650.tif 000002
【特許請求の範囲】
【請求項１】
土壌に、食用珪素を含む水溶性超濃縮溶液を含有する水を散布する改良土の製法であって、
前記土壌に、前記水溶性超濃縮溶液を、１０００倍希釈〜１００００倍希釈にして、散布し、この土壌を耕し、この１０００倍希釈〜１００００倍希釈の溶液を当該土壌に馴染ませて養生する構成とした改良土の製法。
【請求項２】
前記１０００倍希釈〜１００００倍希釈の溶液を、前記土壌に馴染ませて、一週間程度養生することで、有用微生物の活性化と、活性増殖とを図る構成とした請求項１に記載の改良土の製法。
【請求項３】
前記１０００倍希釈〜１００００倍希釈の溶液を、前記土壌に、１〜２週間に１回散布する構成とした請求項１に記載の改良土の製法。
【請求項４】
前記食用珪素を含む水溶性超濃縮溶液が、その水溶液中に、珪素を、１３．０００ｐｐｍ〜１９．５００ｐｐｍで、望ましくは、１０．０００ｐｐｍ〜１７．０００ｐｐｍ含有する構成した請求項１に記載の改良土の製法。
【請求項５】
土壌に、食用珪素を含む水溶性超濃縮溶液を含有する水の散布する改良土の製法であって、
前記土壌に、前記水溶性超濃縮溶液を、１０００倍希釈〜１００００倍希釈にして、散布し、この土壌を耕し、この１０００倍希釈〜１００００倍希釈の溶液を当該土壌に馴染ませて養生し、
この養生した改良土に作物を栽培し、発芽、又は養葉の栽培過程で、前記水溶性超濃縮溶液を、１０００倍希釈〜１００００倍希釈した水を散布する構成とした改良土を利用した植物の栽培製法。
【請求項６】
前記１０００倍希釈〜１００００倍希釈の溶液を、前記土壌に馴染ませて、一週間程度養生することで、有用微生物の活性化と、活性増殖とを図る構成とした請求項５に記載の改良土を利用した植物の栽培製法。
【請求項７】
前記１０００倍希釈〜１００００倍希釈の溶液を、前記土壌に、１〜２週間に１回散布する構成とした請求項５に記載の改良土を利用した植物の栽培製法。
【請求項８】
前記食用珪素を含む水溶性超濃縮溶液が、その水溶液中に、珪素を、１３．０００ｐｐｍ〜１９．５００ｐｐｍで、望ましくは、１０．０００ｐｐｍ〜１７．０００ｐｐｍ含有する構成した請求項５に記載の改良土を利用した植物の栽培製法。
【発明の詳細な説明】
【技術分野】
【０００１】
本発明は、土壌への食用珪素を含む水溶性超濃縮溶液を散布する改良土の製法と、改良土を利用した植物の栽培製法に関する。
【背景技術】
【０００２】
従来、土壌（土）の有用微生物の活性化と、その有用微生物の多様性とかを図り、病害虫に強く、かつ生育の早い土壌の開発が進められている。
【０００３】
この土壌に関しては、文献によれば、自然の営みの中で月日を経て、土壌のもとになる岩石からは様々なミネラル分が染み出して再結晶化する。それは、土壌の中に混じっており、植物の養分の元となる。また、土壌の上で育った動植物は、その死骸を有機物として土壌に戻します。その有機物を微生物が分解することで植物の栄養素となり、分解しきれずに残ったものは腐植となり、後述する団粒構造を作り上げる材料となる。
【０００４】
そして、土壌は、団粒構造という小さな土の塊が隙間を持った状態を保っているとともに、団粒構造は、様々なサイズの土壌粒子がミミズなどの糞や腐植などによってくっつきあって、お団子のような構造になった態様が最も有益である。団粒構造は、団粒の塊と塊の間にできる適切な隙間が、雨が降った後などは余分な水を流し、その他の天候では、隙間に適切な水分を保持し、土に排水と保水の両方の効果をもたらす。併せて、程よい量の空気をはらむので、植物の根や微生物に酸素を与えてくれる。また、この隙間があることで、土壌は植物の根の成長を妨げない、適度な柔らかさを保つことが最高と云えます。
【０００５】
このように、土壌は、鉱物と有機物と腐植、微生物と水と空気の集合体である云えます。結局は、土壌は単に植物の根を固定するだけの粒子ではなく、植物に必要な養分と水分、空気を与えることで、様々な小動物や微生物の住家となる。これらの自然循環の素晴らしい機能に気付き、その手段として、「土造り」が行われる。
【０００６】
この団粒構造が不足する状況では、小動物や微生物に乏しいものは良くない。即ち、植物を健康に育てることはできないし、また、自然のバランスを欠いて様々な問題を引き起こします。例えば、団粒構造を著しく失った土壌は、降雨時には余剰水の涵養機能が働かなくなるので、畑の表面を水が走って川のようになるとともに、この種の土壌は雨があがったらすぐに乾き、最悪ではひび割れを起こし、風が強いときは砂煙を巻き上げます。適切な空気と水分がなく、微生物が住めなくなって有機物はうまく分解できずに蓄積して、過剰になると地下水を汚染するなど周辺環境に悪影響を与える。
【０００７】
昨今は、安価な農産物を安定供給するために、農薬や化学肥料といった化学物質を乱用し、土壌消毒によって土壌の表面に生息する微生物を排除して無理な連作を行うことで、上記のような本来土壌機能を破壊する。作物は、根が固定し、かつ水と化学肥料の養分があれば、形ばかりは育ちます。しかし、健全な作物の生育で無く、美味ない、また、環境破壊の原因となって、人間を含むすべての生物には良くないと云える。
【０００８】
好ましい作物は、大自然の恵みを受け、素晴らしい土壌で育った、即ち、適量の水と空気の中で生き生きと根を伸ばし、様々な微量要素を吸収して生育したものであって、美味で、日持ちもあって、健全な作物と云えます。良い土壌とは、土壌微生物や小動物も豊富で、生物多様性を支える原点となり、地球環境が保全されます。この良い環境は良い植物を育てますので、さらにおいしい植物を育ち、良い循環社会を創生する。
【０００９】
前述した団粒構造と微生物に関する先行文献として、特開２０１６−２７号公報には、［００２０］において、「充填粒子の中層部における気相の液相に対する比をより高め、酸素供給能力を高めることがで、有機物含量と微生物生息数が多くなり、作物の生育が良く、かつ根病の発生を少なくする。従って、団粒構造を備える他の土壌よりも毛管現象の再現性及び水の均一拡散性が高く、水分調節が容易であり、かつ低コストで高品質な作物を栽培することができる。」と書されている。また、特開２０１３−２４５３１号公報には、［０００８］と［０００９］において、「土壌の表土には、作物の栄養素となる、例えば、ケイ酸、石灰、マグネシウム、マンガン、鉄分等のミネラル成分が含まれており、表土の上の腐葉土等に有機物が含まれ、かつ多くの微生物が棲息している。表土は団粒構造をとっており、微生物や栽培される農作物の根に酸素や水を適度に供給できる構造になっている。この表土は、作物の生長と、美味な収穫物には、必要不可欠である。」と記載されている。
【００１０】
次に、珪素と微生物に関する先行文献として、特開２００２−２４９３８８号公報には、［０００３］と［００１６］において、「土壌中の微生物の低下要因と、低下要因の解消に窒素、リン、カルシウム、珪素等を含む葉菜類用資材」の提供が開示されている。また、特開２００９−７３７７１号公報には、［０００６］と［０００８］において、「珪素、無機ケイ素化合物等を含む植物活性剤を適量の付与することで、土壌中への過剰の堆肥による弊害解除に有効で有り、かつ植物成長増強に有効である」と開示されている。
【００１１】
【特許文献１】特開２０１６−２７号公報
【特許文献２】特開２０１３−２４５３１号公報
【特許文献３】特開２０１６−２７号公報
【特許文献４】特開２００９−７３７７１号公報
【発明の概要】
【発明が解決しようとする課題】
【００１２】
文献１−４に開示されている、土壌の有用微生物の活性化と、活性増殖化に有効な発明と考えられる。しかしながら、更なる作物の元気な生長と収穫量の増加とかを考えた際には、一層の改良が必要と考えられる。
【００１３】
これに鑑み、本発明では、新しい土壌に、食用珪素を含む水溶性超濃縮溶液（水溶性珪素）を含有する水を散布する改良土（ケイ酸を含む本来の土壌とする）の製法を提供し、団粒構造の本来の特性と、この土壌の有用微生物の活性化と、その活性増殖化を図りつつ、有用微生物の多様性を達成することを意図する。併せて、この養生した改良土に作物を栽培し、発芽、又は養葉の栽培過程で、食用珪素を含む水溶性超濃縮溶液（水溶性珪素）を含有する水を散布し、団粒構造の本来の特性と、この土壌の有用微生物の活性化と、その活性増殖化を図りつつ、有用微生物の多様性を達成して、栄養価に富んだ、かつ健康に役立つ植物の栽培方法を提供する。
【課題を解決するための手段】
【００１４】
本発明は、ケイ酸を含む本来の土壌に変換しつつ、団粒構造の本来の特性と、この土壌の有用微生物の活性化等を達成し、従来の課題解決とともに、改良土に作物を栽培し、発芽、又は養葉の栽培過程で、食用珪素を含む水溶性超濃縮溶液を散布し、栄養価に富んだ、かつ健康に役立つ植物の栽培を意図する。
【００１５】
そして、本発明は、請求項１〜８を提供する。
【発明の効果】
【００１６】
請求項１に記載の発明は、土壌に、食用珪素を含む水溶性超濃縮溶液を含有する水を散布する改良土の製法であって、
土壌に、水溶性超濃縮溶液を、１０００倍希釈〜１００００倍希釈にして、散布し、土壌を耕し、１０００倍希釈〜１００００倍希釈の溶液を土壌に馴染ませて養生する改良土の製法である。
【００１７】
従って、請求項１では、新しい土壌に、食用珪素を含む水溶性超濃縮溶液を含有する水を散布する改良土（ケイ酸を含む本来の土壌とする）の製法を提供できることと、団粒構造の本来の特性と、この土壌の有用微生物の活性化と、その活性増殖化を図りつつ、有用微生物の多様性を達成できること、等の特徴がある。
【００１８】
請求項２に記載の発明は、１０００倍希釈〜１００００倍希釈の溶液を、土壌に馴染ませて、一週間程度養生することで、有用微生物の活性化と、活性増殖とが図れる改良土の製法である。
【００１９】
従って、請求項２では、請求項１の特徴と、この特徴を達成できる養生期間を確保し、本来の土壌と遜色ない、高品質の土壌を提供できる。
【００２０】
請求項３に記載の発明は、１０００倍希釈〜１００００倍希釈の溶液を、土壌に、１〜２週間に１回散布する改良土の製法である。
【００２１】
従って、請求項３では、請求項１の特徴と、この特徴を達成できる散布回数を確保し、本来の土壌と遜色ない、高品質の土壌を提供できる。
【００２２】
請求項４に記載の発明では、食用珪素を含む水溶性超濃縮溶液が、水溶液中に、珪素を、１３．０００ｐｐｍ〜１９．５００ｐｐｍで、望ましくは、１０．０００ｐｐｍ〜１７．０００ｐｐｍ含有する改良土の製法である。
【００２３】
従って、請求項４では、請求項１の特徴と、この特徴を達成できる食用珪素を含む水溶性超濃縮溶液の珪素の含有量を確保し、本来の土壌と遜色ない、高品質の土壌を提供できる。
【００２４】
請求項５に記載の発明では、土壌に、食用珪素を含む水溶性超濃縮溶液を含有する水の散布する改良土の製法であって、
土壌に、水溶性超濃縮溶液を、１０００倍希釈〜１００００倍希釈にして、散布し、土壌を耕し、１０００倍希釈〜１００００倍希釈の溶液を土壌に馴染ませて養生し、
養生した改良土に作物を栽培し、発芽、又は養葉の栽培過程で、水溶性超濃縮溶液を、１０００倍希釈〜１００００倍希釈した水を散布する改良土を利用した植物の栽培製法である。
【００２５】
従って、請求項５では、この養生した改良土に作物を栽培し、発芽、又は養葉の栽培過程で、食用珪素を含む水溶性超濃縮溶液（水溶性珪素）を含有する水を散布し、団粒構造の本来の特性と、この土壌の有用微生物の活性化と、その活性増殖化を図りつつ、有用微生物の多様性を達成して、栄養価に富んだ、かつ健康に役立つ植物の栽培方法を提供できる特徴がある。
【００２６】
請求項６に記載の発明では、１０００倍希釈〜１００００倍希釈の溶液を、土壌に馴染ませてませて、一週間程度養生することで、有用微生物の活性化と、活性増殖とを図る改良土を利用した植物の栽培製法である。
【００２７】
従って、請求項６では、請求項５の特徴と、この特徴を達成できる養生期間を確保し、栄養価に富んだ、かつ健康に役立つ植物の栽培方法を提供し、高品質の作物を提供できる。
【００２８】
請求項７に記載の発明では、１０００倍希釈〜１００００倍希釈の溶液を、土壌に、１〜２週間に１回散布する改良土を利用した植物の栽培製法である。
【００２９】
従って、請求項７では、請求項５の特徴と、この特徴を達成できる散布回数を確保し、栄養価に富んだ、かつ健康に役立つ植物の栽培方法を提供し、高品質の作物を提供できる。
【００３０】
請求項８に記載の発明では、食用珪素を含む水溶性超濃縮溶液が、水溶液中に、珪素を、１３．０００ｐｐｍ〜１９．５００ｐｐｍで、望ましくは、１０．０００ｐｐｍ〜１７．０００ｐｐｍ含有する改良土を利用した植物の栽培製法である。
【００３１】
従って、請求項８では、請求項５の特徴と、この特徴を達成できる食用珪素を含む水溶性超濃縮溶液の珪素の含有量を確保し、栄養価に富んだ、かつ健康に役立つ植物の栽培方法を提供し、高品質の作物を提供できる。
【図面の簡単な説明】
【００３２】
【図１】本発明の免疫性と抗酸化性を備えた有機土壌を製造する一例を示した模式図であり、（Ａ）は、コンポスタ等の容器に、土壌資材を充填する状態を、（Ｂ）は水溶性超濃縮溶液を散布する状態を示している。
【図２】本発明の作物に水溶性超濃縮溶液を、１０００倍希釈〜１００００倍希釈にして、散布する一例を示した模式図であり、（Ａ１）は、改良した土壌に、散布する状態を、（Ｂ１）は改良土に作物を栽培し、発芽、又は養葉の栽培過程で、水溶性超濃縮溶液を、１０００倍希釈〜１００００倍希釈した水を散布する状態を、さらに（Ｃ１）は、葉菜類、根菜類等の各種作物の成長と、収穫量の増加とか、大きく、美味な果実の収穫が期待できる。
【図３】本発明の作物（はつか大根）のプランタ栽培であって、水道水「１」と、後述するｕｍｏ(登録商標)超濃縮溶液の各濃度（５００倍希釈「２」、１０００倍希釈「３」、２０００倍希釈「４」）との比較実験であり、（Ａ２）は栽培８日目、（Ｂ２）は栽培１５日目をそれぞれ示しており、（Ｃ２）は栽培２４日目の収穫の成果を示している。
【発明を実施するための形態】
【００３３】
本願発明で採用する食用珪素を含む水溶性超濃縮溶液（水溶性珪素）の栄養成分は、下記の図表１による。即ち、財団法人日本食品分析センターによる。
【００３４】
分析試験成績書    ２０１３年（平成２５年）９月９日  第１３０８５３４９００１−０１号
[表１]
2018019650.tif 000003
【００３５】
試験検査成績書    平成２５年９月１１日  受付NO.１３４００７
[表２]
2018019650.tif 000004
【００３６】
この水溶性珪素（ｕｍｏ）は、水晶石の活用と植物系珪素による特殊な抽出法によって抽出された食用珪素である。食用珪素は、優れた静菌性・浸透性・抗酸化力・免疫力を持つことから、サプリメントとして汎用されており、土壌とか作物に散布しても、安心、かつ安全である。本出願人の研究と、実験例では、水溶性珪素は、食用珪素であって、この食用珪素を含む水溶性超濃縮溶液を、稀釈化し、それぞれの状況で散布することで、前述の如く、ケイ酸を含む本来の土壌に変換でき、かつ団粒構造の本来の特性と、この土壌の有用微生物の活性化等を達成できる改良土が生成できる。また、改良土に作物を栽培し、発芽、又は養葉の栽培過程で、食用珪素を含む水溶性超濃縮溶液を散布し、栄養価に富んだ、かつ健康に役立つ植物を栽培できる。
【００３７】
以下、本発明の詳細な説明をする。
【００３８】
本発明に基づく改良土に関し、「土壌微生物多様化・活性値試験」を、株式会社ＤＧＣテクノロジーに委託した。
【００３９】
この「土壌微生物多様化・活性化試験」とは、特許第５８０７９５６号（「土壌の作物育成度数測定方法及び産地偽装判定方」）に基づく。
【００４０】
その試験の概要は、調べた土中の微生物が、様々な有機物をどれだけ勢いよく分解するかという結果を数値化し、土中の生物性を評価する上で客観的で科学的な方法である。
さらに、文献〔特開２０１４−１６８４３５号公報〕によれば、農作物の生産現場では作物の病害が重大な被害をもたらし、作物生産の主要な阻害要因となっている。そこで、病害抑止対策を施すに当たり、まず生産現場の土壌理化学性、生物性の調査を行い土壌診断する。次に、病害抑止効果を有する資材を投入して栽培を行う。また、土壌の理化学性については、土壌・作物毎に基準値が設定されており、土壌診断は容易である。しかし、土壌の生物性に関しては、微生物の計数は寒天培地を用いた希釈平板法による菌数の測定、最近では分子生物学的手法が用いられるようになってきたが、統一された基準がなく診断者の判断に委ねられている。
〔試験委託機関〕  株式会社ＤＧＣテクノロジー  茨城県つくば市中別府５９１−１６３
〔試験資料／試験結果〕
・市販の養土と、プランタを用いて、はつか大根を栽培後の土壌を使用する。
・はつか大根栽培時に、各プランタに散布する水に、水溶性珪素超濃縮溶液（農業・畜産用）を配合する。
・散布する水は「水道水のみ」（イ）、「１０００倍希釈」（ロ）、「３０００倍希釈」（ハ）、「５０００倍希釈」（ニ）、と希釈倍率に変化をつけて栽培した。以下、表２として掲げる。
〔表２〕
2018019650.tif 000005
【００４１】
上記分析値と偏差値の結果については、試験委託期間に現在までに蓄積されたデータをもとに目安としておおよそ以下のことである。（※偏差値：ある数値が母集団の中でどれくらいの位置にいるかを表した数値。要するにバラツキのある分布の中で、中心の偏差値５０からどれくらい偏っているかを表す数値である。）
◆７０万〜１００万・・・・・土づくりが比較的うまくいっている土壌で、１００万の数値に達すれば、良好と云える。
【００４２】
◆１００万〜１３０万・・・豊かな土壌、農作物がおいしい、病気が起こりにくい土壌である。
【００４３】
〔考察〕
上記分析値より、３０００倍希釈の土壌は分析値１００万を超えるため良好な土づくりが行なわれていると云える。１０００倍希釈では配合濃度がやや濃いと考えられる。
【００４４】
今回の結果より、出願人としては３０００〜５０００倍が、推奨希釈倍数の目安と考える。但し、土壌の状態や種類、栽培する作物や地域によっても適当な希釈倍率に違いはある。
【００４５】
上記に鑑み、本発明では、水溶性珪素超濃縮溶液（農業・畜産用）を使用の際は適度な希釈倍率を目安に使用されることが望ましい。
【００４６】
また、前記（イ）〜（ニ）の土壌の試験結果を示した表３〜表６を示す。
〔表３〕
2018019650.tif 000006
【００４７】
〔表４〕
2018019650.tif 000007
【００４８】
〔表５〕
2018019650.tif 000008
【００４９】
〔表６〕
2018019650.tif 000009
【００５０】
図１の免疫性と抗酸化性を備えた有機土壌を製造する一例を示した模式図において、（Ａ）は、コンポスタ等の容器１に、土壌２に対して、必要とする土壌資材３を充填し、これらをよく混合する。（Ｂ）は、混合した土壌に、水溶性珪素超濃縮溶液を２０００倍希釈した、水溶性珪素２０００倍希釈溶液を散水し、必要によりかき混ぜる。この散水は、２週間を目安とし、一か月〜二か月程度とする。この結果、（Ｃ）の如く、ケイ酸を含む肥沃の土壌ができる（改良土２００）。図中に微生物２０１を図示する。
【００５１】
図２の作物５（原則として、全ての葉菜類、土中栽培類、果実類を含む）に水溶性超濃縮溶液を、１０００倍希釈〜１００００倍希釈にして、散布する一例を示した模式図において、（Ａ１）は、改良土２００に、散布する状態であって、例えば、１週間程度放置する。その後を示す（Ｂ１）は改良土２００に作物５を栽培し、発芽、又は養葉の栽培過程で、水溶性超濃縮溶液を、１０００倍希釈〜１００００倍希釈した水を散布する状態を、さらに葉菜類、根菜類等の各種作物５の成長と、収穫量の増加とか、大きく、美味な果実の収穫が期待できる。また、葉面散水は、作物５の成長点を目安として行うことも、効率的で、有意義な散水である。
【００５２】
図３の作物（はつか大根５００）のプランタ栽培であって、水道水「１」と、ｕｍｏ超濃縮溶液の各濃度（５００倍希釈「２」、１０００倍希釈「３」、２０００倍希釈「４」）との比較実験であり、（Ａ２）は栽培８日目、（Ｂ２）は栽培１５日目をそれぞれ示しており、（Ｃ２）は栽培２４日目の収穫の成果を示している。この実験では、「１」〜「４」の各プランタに毎日５００ｍｌ散布する。この実験では、「２」の発芽状況が４〜５株で少なかった。殊に、は栽培２４日目の収穫結果は、「１」は、１４株で１４２ｇの収穫であった。「２」は、４株で４６ｇの収穫であった。「３」は、１４株で１３６ｇの収穫であった。「４」は、１５株で１６６ｇの収穫であった。総括すると、「４」は、他の「１」〜「３」、殊に、「２」と「３」に対して、大きく育ち、葉と実とが大きく、かつ形も美麗であり、商品価値がある。
【００５３】
そして、珪素が水溶液中に含まれる量、即ち、食用珪素を含む水溶性超濃縮溶液は、水溶液中に、珪素を、１３．０００ｐｐｍ〜１９．５００ｐｐｍで、望ましくは、１０．０００ｐｐｍ〜１７．０００ｐｐｍ含有する構成が最適であり、前述のケイ酸を含む肥沃の土壌、即ち、改良土の生成と、植物の栽培製法であって、かつ前記「４」のはつか大根５００の収穫ができる。
【００５４】
前述した各実施例、散水と、散水量と散水回数等は、本発明の好ましい一例の説明である。各実施例と、散水と、散水量と散水回数等に限定されない。従って、発明の趣旨の範囲において構成の一部を変更する構造とか、同じ特徴と効果を達成できる構造、等は、本発明の範疇である。
【符号の説明】
【００５５】
１      容器
２      土壌
２００  改良土
２０１  微生物
３      土壌資料
５      作物
５００  はつか大根
【図１】
2018019650.tif 000010
【図２】
2018019650.tif 000011
【図３】
2018019650.tif 000012
【手続補正書】
【提出日】平成28年8月8日(2016.8.8)
【手続補正１】
【補正対象書類名】明細書
【補正対象項目名】０００９
【補正方法】変更
【補正の内容】
【０００９】
前述した団粒構造と微生物に関する先行文献として、特開２０１６−２７号公報には、［００２０］において、「充填粒子の中層部における気相の液相に対する比をより高め、酸素供給能力を高めることがで、有機物含量と微生物生息数が多くなり、作物の生育が良く、かつ根病の発生を少なくする。従って、団粒構造を備える他の土壌よりも毛管現象の再現性及び水の均一拡散性が高く、水分調節が容易であり、かつ低コストで高品質な作物を栽培することができる。」と書されている。また、特開２０１３−２４５３１０号公報には、［０００８］と［０００９］において、「土壌の表土には、作物の栄養素となる、例えば、ケイ酸、石灰、マグネシウム、マンガン、鉄分等のミネラル成分が含まれており、表土の上の腐葉土等に有機物が含まれ、かつ多くの微生物が棲息している。表土は団粒構造をとっており、微生物や栽培される農作物の根に酸素や水を適度に供給できる構造になっている。この表土は、作物の生長と、美味な収穫物には、必要不可欠である。」と記載されている。
【手続補正２】
【補正対象書類名】明細書
【補正対象項目名】００１１
【補正方法】変更
【補正の内容】
【００１１】
［特許文献１］  特開２０１６−２７号公報
［特許文献２］  特開２０１３−２４５３１０号公報
［特許文献３］  特開２００２−２４９３８８号公報
［特許文献４］  特開２００９−７３７７１号公報
【手続補正書】
【提出日】平成28年8月10日(2016.8.10)
【手続補正１】
【補正対象書類名】明細書
【補正対象項目名】００３４
【補正方法】変更
【補正の内容】
【００３４】
分析試験成績書    ２０１３年（平成２５年）９月９日  第１３０８５３４９００１−０１号
[表１−１]
2018019650.tif 000013
【手続補正２】
【補正対象書類名】明細書
【補正対象項目名】００３５
【補正方法】変更
【補正の内容】
【００３５】
試験検査成績書    平成２５年９月１１日  受付NO.１３４００７
[表１−２]
2018019650.tif 000014